(57)【要約】      （修正有）【課題】携帯時には軽量コンパクトでシンプルなデザインのまま使用し、卓上で使用するときには粘着テープディスペンサーを卓上にしっかり固定して片手で粘着テープを引き出してカットできる粘着テープディスペンサーホルダーを提供する。【解決手段】粘着テープロールを支持する円筒形の筒状支持部３の空洞部横断面が真円以外の形状である携帯用粘着テープディスペンサー１と、空洞部に挿入する横断面形状が同様に真円以外の軸状の固定部４を備え、固定された携帯用粘着テープディスペンサーから引き出された粘着テープをカットできる粘着テープカッター部６を備えた粘着テープディスペンサーホルダーであり、携帯時には軽量コンパクトに使用でき、卓上で使用するときには片手で粘着テープを引き出してカットできる。摩擦力、吸盤、粘着部材、磁力、掛け留め具、または挟力によって、卓上に固定するのが好ましい。【選択図】図１
0003196823.tif 000002
【実用新案登録請求の範囲】
【請求項１】
環状に巻かれた詰め替え可能な粘着テープロールが挿入される円筒形の筒状支持部を備え、その筒状支持部の空洞部の横断面が真円以外の形状である携帯用粘着テープディスペンサー、およびその筒状支持部の空洞部に挿入し携帯用粘着テープディスペンサーを固定できる、その横断面が同様に真円以外の形状である軸状の固定部を備え、さらに固定された携帯用粘着テープディスペンサーから引き出された粘着テープをカットできる粘着テープカッター部を備えた卓上粘着テープディスペンサーホルダー
【請求項２】
粘着テープを片手で引き出しカットする際に、卓上粘着テープディスペンサーホルダーが卓上で動かないようにするために、次のいずれかの固定方法が用いられた請求項１に記載の卓上粘着テープディスペンサーホルダー
《固定方法》
・卓上粘着テープディスペンサーホルダーを重くしたり、摩擦係数の高い部材を用いることで卓上での摩擦力を高めて固定する方法
・卓上粘着テープディスペンサーホルダーを吸盤により固定する方法
・卓上粘着テープディスペンサーホルダーを粘着部材により固定する方法
・卓上粘着テープディスペンサーホルダーを磁力により固定する方法
・卓上粘着テープディスペンサーホルダーを卓上側と卓上粘着テープディスペンサーホルダー側に設けられた掛け止め具によって、はめ合わせて固定する方法
・卓上粘着テープディスペンサーホルダーをバネやネジ等による挟力で固定する方法
【考案の詳細な説明】
【技術分野】
【０００１】  本考案は卓上で固定できる携帯用粘着テープディスペンサーとそれを卓上で固定し使用できるホルダーに関するものである。
【背景技術】
【０００２】  これまで、粘着テープのディスペンサーは、コンパクトで軽量な携帯タイプのものと、卓上でテープを片手で引き出してカットできる大きく重い卓上タイプのものと、２種類があり、２通りの使い方を求める使用者は２種類の粘着テープディスペンサーを持つことが求められた。
このような使用者が２種類の粘着テープディスペンサーを持たなければならないという課題を解決するために、これまで磁力や吸盤や掛け留め具によって、携帯用粘着テープディスペンサーを、卓上や卓上の固定具に固定することで、上記の２通りの方法で使用できるようにした携帯用粘着テープディスペンサーとそれら固定具が考案され用いられてきた。
しかし、これら卓上に固定できる携帯用粘着テープディスペンサーを卓上に固定するために、携帯用粘着テープディスペンサー側に磁石や吸盤などを設けたり、携帯用粘着テープディスペンサーの一部を不自然な掛け止め形状にしたりといったことがなされ、携帯用粘着テープディスペンサーは重いもの、嵩張るもの、見栄えの悪いものに変えられていた。
【先行技術文献】
【特許文献】
【０００３】
【特許文献１】実用新案公開番号  実開平１−２９３５１
【特許文献２】実用新案公開番号  昭６１−１２７１４８
【特許文献３】実用新案公開番号  実開昭６１−２３６５
【考案の概要】
【考案が解決しようとする課題】
【０００４】  従来のような、卓上に、または卓上の固定具に、固定できるようにした携帯用粘着テープディスペンサーは、携帯用粘着テープディスペンサー側に磁石、吸盤、掛け止め形状等を設けていたため、重くなったり、嵩張ったり、見栄えが悪くなったりしていた。よって、このように携帯用粘着テープディスペンサーに磁石や吸盤や掛け止め形状を設けることなく、携帯用粘着テープディスペンサーを卓上に固定することが課題となる。
【課題を解決するための手段】
【０００５】  本考案は、携帯用粘着テープディスペンサーを卓上で用いるために、携帯用粘着テープディスペンサーに環状に巻かれた詰め替え可能な粘着テープロールが挿入される円筒形の筒状支持部を設け、その筒状支持部の空洞部の横断面が真円以外の形状であるようにし、そこに携帯用粘着テープディスペンサーを固定するために設けられた、その横断面が同様に真円以外の形状である軸状の固定部を備え、さらに卓上に固定された携帯用粘着テープディスペンサーから引き出された粘着テープをカットできる粘着テープカッター部を備えた卓上粘着テープディスペンサーホルダーを用いることで課題を解決する。
さらに卓上で粘着テープを片手で引き出しカットする際に、このホルダーが卓上で動かないようにするために次の方法を用いることとする。
・卓上粘着テープディスペンサーホルダーを重くしたり、摩擦係数の高い部材を用いることで卓上での摩擦力を高めて固定する方法
・卓上粘着テープディスペンサーホルダーを吸盤により固定する方法
・卓上粘着テープディスペンサーホルダーを粘着部材により固定する方法
・卓上粘着テープディスペンサーホルダーを磁力により固定する方法
・卓上粘着テープディスペンサーホルダーを卓上側と卓上粘着テープディスペンサーホルダー側に設けられた掛け止め具によって、はめ合わせて固定する方法
・卓上粘着テープディスペンサーホルダーをバネやネジ等による挟力で固定する方法
【考案の効果】
【０００６】  本考案の携帯用粘着テープディスペンサーと卓上粘着テープディスペンサーホルダーを用いることで、その携帯用粘着テープディスペンサーをその卓上粘着テープディスペンサーホルダーにしっかりと固定することができ、卓上粘着テープディスペンサーホルダーは摩擦力、吸盤、粘着部材、磁力、掛け留め具、挟力という固定手段により卓上で動くことがない。一方、携帯用粘着テープディスペンサー内に収められた粘着テープロールは携帯用粘着テープディスペンサーの円筒形の筒状支持部において円周方向にスムーズに回転できるため、粘着テープを卓上粘着テープディスペンサーホルダーに固定された携帯用粘着テープディスペンサーから片手で引き出してカット部でカットしても、粘着テープはスムーズに引き出しカットすることができる。
また、携帯用粘着テープディスペンサーを持ち運ぶため、卓上粘着テープディスペンサーホルダーから取り外したときには、携帯用粘着テープディスペンサーはコンパクトで軽量であるため携帯性に優れ、シンプルな形状で、こざっぱりしているため見栄えがよい。
そして、携帯用粘着テープディスペンサーの卓上粘着テープディスペンサーホルダーからの着脱も極めて容易である。
【図面の簡単な説明】
【０００７】
【図１】本考案の携帯用粘着テープディスペンサーと卓上粘着テープディスペンサーホルダーの斜視図
【図２】図１の携帯用粘着テープディスペンサーを図１の卓上粘着テープディスペンサーホルダーに組み付けた状態の斜視図
【図３】吸盤により卓上に固定するタイプの本考案の卓上粘着テープディスペンサーホルダーの斜視図
【図４】従来の様々な卓上固定タイプの携帯用粘着テープディスペンサー
【図５】大きな粘着テープロールを、専用プーリー器具等を介して図１の卓上粘着テープディスペンサーホルダーに取り付けた状態図
【考案を実施するための形態】
【０００８】  図１は、本考案の携帯用粘着テープディスペンサー１と卓上粘着テープディスペンサーホルダー２の実施例の斜視図である。
携帯用粘着テープディスペンサー１はその内部に粘着テープロールを収納しており、粘着テープロールはそのロール芯の内側に携帯用粘着テープディスペンサーの円筒形の筒状支持部３を挿入することで支持されている。この際、粘着テープロールは、ロール芯の内側と筒状支持部３との空隙と両接触面の摺動性により筒状支持部３の円周方向に容易に動くことができる。
そして、携帯用粘着テープディスペンサー１の筒状支持部３の筒内部には、卓上粘着テープディスペンサーホルダー２の軸状の固定部４が挿入できる空隙が設けられており、その筒内部の空隙横断面は正四角形となっている。携帯用粘着テープディスペンサー１には粘着テープを引き出すことができる開口部とその開口部を開閉できる蓋５を備え、その開閉蓋５にはテープをカットできるカット部を備えている。この携帯用粘着テープディスペンサー１はコンパクトで軽量であり、外観はとてもこざっぱりしている。
一方、卓上粘着テープディスペンサーホルダー２は携帯用粘着テープディスペンサー１の筒状支持部３の内側空隙部に挿入し固定できるその横断面が正四角形である軸状の固定部４を備え、さらにその卓上粘着テープディスペンサーホルダー２に固定された携帯用粘着テープディスペンサー１から引き出された粘着テープをカットできる粘着テープカッター部６も備えている。
【０００９】  図２は、本考案の携帯用粘着テープディスペンサー１と卓上粘着テープディスペンサーホルダー２を組み合わせた斜視図である。
携帯用粘着テープディスペンサー１の筒状支持部３の筒内部に、卓上粘着テープディスペンサーホルダー２の軸状の固定部４を挿入し、携帯用粘着テープディスペンサー１を卓上粘着テープディスペンサーホルダー２に固定している。この際、筒状支持部３の筒内部の空隙横断面は正四角形であり、そこに挿入される卓上粘着テープディスペンサーホルダー２の軸状の固定部４の横断面もそこにぴったりと嵌る正四角形であるため、軸状の固定部４が筒状支持部３の筒内部にガタなく嵌るようになっている。
そして、固定された携帯用粘着テープディスペンサー１から引き出された粘着テープは卓上粘着テープディスペンサーホルダー２の粘着テープカッター部６でカットできる。この際、携帯用粘着テープディスペンサー１の開閉蓋５は粘着テープの引き出しを邪魔しないように開けられている。また、卓上粘着テープディスペンサーホルダー２は充分に重いため、粘着テープを引き出しカットする際に卓上を動くことがないので、ストレスなく粘着テープを片手で引き出しカットすることができる。
【００１０】  図３は、図２とは異なるタイプの十字形挿入孔を持つ携帯用粘着テープディスペンサー７と吸盤により卓上に固定するタイプの卓上粘着テープディスペンサーホルダー８を組み合わせた斜視図である。
卓上粘着テープディスペンサーホルダー８は卓上の固定方法として吸盤を用いている。また図３の携帯用粘着テープディスペンサー７は粘着テープロールを支持する筒状支持部９の空洞部の横断面が十字形をしており、そこに挿入される卓上粘着テープディスペンサーホルダー８の軸状の固定具１０の横断面も同様に十字形をしている。
図３の実施例についても、図２の実施例同様に携帯用粘着テープディスペンサー７は卓上粘着テープディスペンサーホルダー８にしっかりと固定され、携帯用粘着テープディスペンサー７から粘着テープを引き出しカットしても、卓上粘着テープディスペンサーホルダー８は卓上を動くことがなく、粘着テープを片手で引き出し容易にカットすることができる。
【００１１】  図４は、様々な従来からある卓上固定型の携帯用粘着テープディスペンサーである。
卓上固定型の携帯用粘着テープディスペンサー１１は磁石を備えたものであり、卓上固定型の携帯用粘着テープディスペンサー１２は吸盤を備えたものであり、卓上固定型の携帯用粘着テープディスペンサー１３は掛け止め形状を備えたものである。いずれも卓上に固定することはできるものの、軽量ではなく、嵩張っており、携帯性に劣っている。または、デザイン的にシンプルではなく、見栄えの悪いものとなっている。
【００１２】  図５は図１の卓上粘着テープディスペンサーホルダー２に、径の大きい粘着テープロール１４を、専用のプーリー器具１５と専用の円柱形軸状支持具１６を用いて組み付けた様子を示した図である。プーリー器具１５と円柱形軸状支持具１６を用いることで、本考案の卓上粘着テープディスペンサーホルダー２は携帯用粘着テープディスペンサー１のみならず、径の大きい従来の卓上用粘着テープロール１４にも使用することができる。
【符号の説明】
【００１３】１    携帯用粘着テープディスペンサー
２    卓上粘着テープディスペンサーホルダー
３    筒状支持部
４    軸状の固定部
５    開閉蓋
６    粘着テープカッター部
７    十字形挿入孔を持つ携帯用粘着テープディスペンサー
８    携帯用粘着テープディスペンサーを固定した卓上粘着テープディスペンサーホルダー
９    筒空洞部の横断面が十字形である筒状支持部
１０  軸の横断面が十字形である軸状の固定具
１１  磁石を備えた卓上固定型の携帯用粘着テープディスペンサー
１２  吸盤を備えた卓上固定型の携帯用粘着テープディスペンサー
１３  掛け止め形状を備えた卓上固定型の携帯用粘着テープディスペンサー
１４  径の大きい粘着テープロール
１５  プーリー器具
１６  円柱形軸状支持具
【図１】
0003196823.tif 000003
【図２】
0003196823.tif 000004
【図３】
0003196823.tif 000005
【図４】
0003196823.tif 000006
【図５】
0003196823.tif 000007
【手続補正書】
【提出日】平成27年1月16日(2015.1.16)
【手続補正１】
【補正対象書類名】実用新案登録請求の範囲
【補正対象項目名】全文
【補正方法】変更
【補正の内容】
【実用新案登録請求の範囲】
【請求項１】
環状に巻かれた詰め替え可能な粘着テープロールが挿入される円筒形の筒状支持部を備え、その筒状支持部の空洞部の横断面が真円以外の形状である携帯用粘着テープディスペンサー、およびその筒状支持部の空洞部に挿入し携帯用粘着テープディスペンサーを固定できる、その横断面が同様に真円以外の形状である軸状の固定部を備え、さらに固定された携帯用粘着テープディスペンサーから引き出された粘着テープをカットできる粘着テープカッター部を備えた卓上粘着テープディスペンサーホルダー